(57)【要約】【課題】  パネル内に温度ムラができるのを抑制でき、寿命を長くすることができる表示パネル、これを用いた移動体の表示モジュール、および電子機器を提供すること。【解決手段】  有機ＥＬパネル２０は、有機ＥＬ素子２２１をそれぞれ有する複数の画素２２０が配置された発光素子基板２１と、複数の画素を密封するように発光素子基板２１に接合される封止基板２２とを備える。有機ＥＬパネル２０には、発光素子基板２１と封止基板２２との間の空間における発光素子基板２１の表示エリア２１ａ全体に、温度分布を均一にする板状の温度分布均一手段として水分を吸収可能な乾燥剤２３が配置されている。乾燥剤２３は、表示エリア２１ａより大きい１枚の板状に形成されたもので、空間２５内に浸入した水分を吸い取るとともに、表示エリア全体にわたりパネルの温度分布を均一化することができる。【選択図】      図１
2006228443.tif 000002
【特許請求の範囲】
【請求項１】
発光素子をそれぞれ有する複数の画素がマトリクス状に配置された発光素子基板と、前記複数の画素を密封するように前記発光素子基板に接合される封止基板と、を備えた表示パネルにおいて、
前記発光素子基板と前記封止基板との間の空間における表示エリア全体に、温度分布を均一にする板状の温度分布均一手段を配置したことを特徴とする表示パネル。
【請求項２】
請求項１に記載の表示パネルにおいて、
前記温度分布均一手段は、前記表示エリアより大きい範囲に敷き詰められ前記封止基板の内面に固定された乾燥剤であることを特徴とする表示パネル。
【請求項３】
請求項２に記載の表示パネルにおいて、
前記乾燥剤は、前記表示エリアより大きい１枚の板状に形成された乾燥剤であることを特徴とする表示パネル。
【請求項４】
請求項２に記載の表示パネルにおいて、
前記乾燥剤は板状に形成された複数枚の乾燥剤で構成され、前記複数枚の乾燥剤を前記表示エリアより大きい範囲に敷き詰めたことを特徴とする表示パネル。
【請求項５】
請求項１に記載の表示パネルにおいて、
前記温度分布均一手段は、前記封止基板の内面に固定された板状に形成された乾燥剤と、該乾燥剤に固定され、前記表示エリアより大きい１枚の薄い金属板とで構成されることを特徴とする表示パネル。
【請求項６】
請求項５に記載の表示パネルにおいて、
前記金属板は、前記発光素子基板との間に隙間を持つように配置されることを特徴とする表示パネル。
【請求項７】
請求項５に記載の表示パネルにおいて、
前記金属板の全体に、多数の貫通孔が設けられていることを特徴とする表示パネル。
【請求項８】
請求項１〜７のいずれか一つに記載の表示パネルにおいて、
前記発光素子は、エレクトロルミネッセンス素子であることを特徴とする表示パネル。
【請求項９】
請求項１〜８のいずれか一つに記載の表示パネルを用いた移動体の表示モジュールにおいて、異なる画像を表示する複数の前記表示パネルをパネル支持部材に並べて取り付けたことを特徴とする移動体の表示モジュール。
【請求項１０】
請求項１〜８のいずれか一つに記載の表示パネルを用いたことを特徴とする電子機器。
【発明の詳細な説明】
【技術分野】
【０００１】
本発明は、有機ＥＬパネル等の表示パネル、これを用いた移動体の表示モジュール、および電子機器に関する。
【背景技術】
【０００２】
近年、有機ＥＬ素子を用いた有機ＥＬ（エレクトロルミネッセンス）パネルが、低消費比電力、高視野角、高コントラスト比で他の装置より優れているとして注目されている。
こうした有機ＥＬパネルとして、複数の画素電極、有機ＥＬ素子、薄膜トランジスタ、複数の配線が形成された基板と、複数の画素全体を覆うように基板の周縁部に環状の凸部が接合された封止部材とを備え、封止部材の内面に水分等を吸収可能な吸収剤が貼着された有機ＥＬ素子が知られている（例えば、特許文献１の図３参照）。
【０００３】
この有機ＥＬ装置では、基板上に、透明導電性材料からなり、陽極として機能する矩形状の画素電極がマトリクス状に形成されており、各画素電極上に、正孔注入／輸送層と発光層とが順次積層形成され、発光層が形成された基板のほぼ全面に渡って陰極が形成されている。また、各画素電極には、薄膜トランジスタ（ＴＦＴ）等が電気的に接続されており、各画素電極、その上に形成された正孔注入／輸送層、発光層、および陰極により一つの有機ＥＬ素子が構成されている。
【特許文献１】特開２００３−２０８９７６号公報
【発明の開示】
【発明が解決しようとする課題】
【０００４】
ところで、上記特許文献１に記載されているような従来の有機ＥＬパネル（有機ＥＬ装置）において、封止部材の内面に貼着される乾燥剤として、矩形状の乾燥剤を４枚敷き詰めた構成にして、連続通電しながらパネルの温度を測ったり、寿命試験をした結果、乾燥剤のある所だけ熱伝導率が高いことがわかった。乾燥剤のある所だけ熱伝導率が高いので、パネルの乾燥剤のある部分が冷えて、パネルの乾燥剤の無い部分（４枚の乾燥剤の間の十字状の隙間の部分）が熱くなる。こうして、パネル内に温度ムラ、つまり温度の高い部分と低い部分のある温度分布ができてしまうことがわかった。パネル内に温度ムラができると、有機ＥＬパネルにおけるパネル温度と輝度半減寿命の関係から、同じパネル内に、輝度半減寿命の短い部分（温度の高い部分）と同寿命の長い部分（温度の低い部分）とができてしまい、パネルの寿命の短いものになってしまうという問題があった。
【０００５】
本発明は、このような従来の問題点に着目してなされたもので、その目的は、パネル内に温度ムラができるのを抑制でき、寿命を長くすることができる表示パネル、これを用いた移動体の表示モジュール、および電子機器を提供することにある。
【課題を解決するための手段】
【０００６】
本発明における表示パネルは、発光素子をそれぞれ有する複数の画素がマトリクス状に配置された発光素子基板と、前記複数の画素を密封するように前記発光素子基板に接合される封止基板と、を備えた表示パネルにおいて、前記発光素子基板と前記封止基板との間の空間における前記表示エリア全体に、温度分布を均一にする板状の温度分布均一手段を配置したことを要旨とする。
【０００７】
これによれば、温度分布均一手段により、表示エリア全体にわたりパネルの温度分布を均一化することができるので、パネルの表示エリア全体に温度ムラができるのを抑制でき、パネルの寿命を長くすることができる。このような効果は、特に表示パネルのサイズが
大きい場合に有効に発揮される。
【０００８】
この表示パネルにおいて、前記温度分布均一手段は、前記表示エリアより大きい範囲に敷き詰められ前記封止基板の内面に固定された乾燥剤であることを要旨とする。これによれば、乾燥剤が発光素子基板と封止基板との間の空間内に浸入した水分を吸い取るという本来の機能を発揮するとともに、乾燥剤により表示エリア全体にわたりパネルの温度分布を均一化することができる。
【０００９】
この表示パネルにおいて、前記乾燥剤は、前記表示エリアより大きい１枚の板状に形成された乾燥剤であることを要旨とする。これによれば、表示エリアより大きい１枚の乾燥剤が上記空間内に浸入した水分を吸い取るという本来の機能を発揮するとともに、表示エリア全体にわたり表示パネルの温度分布を均一化することができる。
【００１０】
この表示パネルにおいて、前記乾燥剤は板状に形成された複数枚の乾燥剤で構成され、前記複数枚の乾燥剤を前記表示エリアより大きい範囲に敷き詰めたことを要旨とする。これによれば、表示エリアより大きい範囲に敷き詰めた複数の乾燥剤が上記空間内に浸入した水分を吸い取るという本来の機能を発揮するとともに、表示エリア全体にわたり表示パネルの温度分布を均一化することができる。
【００１１】
この表示パネルにおいて、前記温度分布均一手段は、前記封止基板の内面に固定された板状に形成された乾燥剤と、該乾燥剤に固定され、前記表示エリアより大きい１枚の薄い金属板とで構成されることを要旨とする。これによれば、乾燥剤が上記空間内に浸入した水分を吸い取るという本来の機能を発揮するとともに、この乾燥剤に固定された１枚の薄い金属板により、表示エリア全体にわたり表示パネルの温度分布を均一化することができる。したがって、表示パネル内に温度ムラができるのをさらに抑制でき、表示パネルの寿命をさらに長くすることができる。
【００１２】
この表示パネルにおいて、前記金属板は、前記発光素子基板との間に隙間を持つように配置されることを要旨とする。これによれば、発光素子基板側で発生する熱が上記空間を介して１枚の薄い金属板に間接的に伝わるので、表示パネル内に温度ムラができるのをさらに抑制でき、表示パネルの寿命をさらに長くすることができる。
【００１３】
この表示パネルにおいて、前記金属板の全体に、多数の貫通孔が設けられていることを要旨とする表示パネル。これによれば、乾燥剤が薄い金属板に設けられた多数の貫通孔を介して上記空間内の空気に触れる面積が大きくなるので、その空間内に浸入した水分が乾燥剤により効果的に吸収されるようになる。
【００１４】
この表示パネルにおいて、前記発光素子は、エレクトロルミネッセンス素子であることを要旨とする。これによれば、エレクトロルミネッセンス素子を用いた有機ＥＬパネル等のエレクトロルミネッセンスパネルの寿命を長くすることができる。
【００１５】
本発明における移動体の表示モジュールは、異なる画像を表示する複数の上記表示パネルをパネル支持部材に並べて取り付けたことを要旨とする。これによれば、複数の表示パネルの寿命を長くすることができるとともに、高品質な表示を長期間にわたって維持することができる。したがって、耐久性や安全性が重視される自動車等の車両、航空機、船舶、電車等の移動体に搭載される場合、移動体の速度、機関回転数、ナビゲーション装置の地図情報等を複数の表示パネルにより長期間にわたり高品質で表示することができる。
【００１６】
本発明における電子機器は、前記表示パネルを用いたことを要旨とする。これによれば、表示パネルの寿命を長くすることができるとともに、高品質な表示を長期間にわたって
維持することができる。
【発明を実施するための最良の形態】
【００１７】
以下、本発明を具体化した各実施形態を、図面に基づいて説明する。なお、各実施形態の説明において同様の部位には同一の符号を付して重複した説明を省略する。
（第１実施形態）
第１実施形態に係る有機ＥＬパネルの構造を図１および図２に基づいて説明する。
【００１８】
表示パネルとしての有機ＥＬパネル２０は、発光素子としてエレクトロルミネッセンス（ＥＬ）素子を用いたエレクトロルミネッセンスパネルとしての有機ＥＬパネルである。この有機ＥＬパネル２０は、図１および図２に示すように、エレクトロルミネッセンス素子としての有機ＥＬ素子２２１をそれぞれ有する複数の画素２２０がマトリクス状に配置された発光素子基板２１と、複数の画素を密封するように発光素子基板２１に接合される封止基板２２とを備える。図１では複数の画素２２０のうちの一つのみを示してあり、また、図２では、複数の画素２２０および各画素２２０の有機ＥＬ素子２２１等の図示を省略してある。
【００１９】
また、有機ＥＬパネル２０には、発光素子基板２１と封止基板２２との間の空間２５における発光素子基板２１の表示エリア２１ａ全体に、温度分布を均一にする板状の温度分布均一手段として水分を吸収可能な乾燥剤２３が配置されている。なお、その「表示エリア２１ａ」は、複数の画素２２０が形成されている矩形状のアクティブエリアである。
【００２０】
発光素子基板２１上には、図２では図示を省略してあるが、陽極として機能する矩形状の画素電極がマトリクス状に形成されており、各画素電極上に、例えば、正孔注入／輸送層と発光層とが順次積層形成され、発光層が形成された基板のほぼ全面に渡って陰極が形成されている。また、各画素電極には、薄膜トランジスタ（ＴＦＴ）等が電気的に接続されており、各画素電極、その上に形成された正孔注入／輸送層、発光層、および陰極により、各画素２２０の有機ＥＬ素子２２１が構成されている。さらに、発光素子基板２１上には、図１に示すように、複数の電源線、複数の信号線、および複数の制御線を含む複数の配線（図示省略）の端子部２００が形成されている。
【００２１】
封止基板２２は、矩形状の凸部２２ａを有する有底筒状に形成されており、例えば透明なガラス基板で作製されている。封止基板２２は、複数の画素２２０全体を密封するように凸部２２ａの下端面が発光素子基板２１の一面２１ｂに接着剤２４で接合されている（図２参照）。この一面２１ｂは、各画素２２０の有機ＥＬ素子２２１でそれぞれ発光した光が出射する他面（光出射面）２１ｃとは反対側の面である。
【００２２】
本例で用いる乾燥剤２３は、表示エリア２１ａより大きい１枚の板状に形成されたものである。この乾燥剤２３の一辺（縦方向の辺）の長さをＡｇ、その他辺（横方向の辺）の長さをＢｇ、発光素子基板２１の一辺の長さをＡ、その他辺の長さをＢとすると、Ａｇ＞Ａ、Ｂｇ＞Ｂの関係を満たす大きさの乾燥剤２３を、平面視で表示エリア２１ａ全体を覆うような位置で封止基板２２の内面に接合されている（図２参照）。
【００２３】
以上のように構成された第１実施形態によれば、以下の作用効果を奏する。
○有機ＥＬパネル２０には、発光素子基板２１と封止基板２２との間の空間２５における発光素子基板２１の表示エリア２１ａ全体に、温度分布を均一にする板状の温度分布均一手段としての乾燥剤２３が配置されている。この構成により、その乾燥剤２３が空間２５内に浸入した水分を吸い取るという本来の機能を発揮するとともに、表示エリア全体にわたりパネルの温度分布を均一化することができる。したがって、有機ＥＬパネル２０の表示エリア２１ａ全体に温度ムラができるのを抑制でき、有機ＥＬパネル２０の寿命を長
くすることができる。
【００２４】
○有機ＥＬパネル２０のサイズが大きい物でも、発光素子基板２１のガラスが割れたりせず、寿命を長くすることができる。このように、有機ＥＬパネル２０のサイズが大きい場合に、その寿命を長くすることができる効果が有効に発揮される。
（第２実施形態）
第２実施形態に係る有機ＥＬパネル２０の構造を図３および図４に基づいて説明する。
【００２５】
本実施形態に係る有機ＥＬパネル２０では、上記第１実施形態で用いた１枚の乾燥剤２３に代えて、温度分布を均一にする板状の温度分布均一手段として複数枚（本例では４枚）の乾燥剤２６，２７，２８および２９を用いている。これら４枚の乾燥剤２６〜２９は、１枚の乾燥剤２３を４分割した大きさをそれぞれ有する。４枚の乾燥剤２６〜２９は、表示エリア２１ａより大きい範囲に、各々の隙間をほぼ０．１ｍｍ〜０．５ｍｍの以内に抑えて敷き詰められている。その他の構成は、上記第１実施形態と同様である。
【００２６】
以上のように構成された第２実施形態によれば、上記第１実施形態の奏する作用効果に加えて以下の作用効果を奏する。
○４枚の乾燥剤２６〜２９を表示エリア２１ａより大きい範囲に敷き詰めているので、サイズの異なる有機ＥＬパネルに対して各乾燥剤２６〜２９として標準品の乾燥剤を共通に使うことができる。
（第３実施形態）
第３実施形態に係る有機ＥＬパネル２０の構造を図５および図６に基づいて説明する。
【００２７】
本実施形態に係る有機ＥＬパネル２０では、上記第１実施形態で用いた１枚の乾燥剤２３に代えて、温度分布を均一にする板状の温度分布均一手段として、封止基板２２の内面に固定された板状に形成された乾燥剤２３Ａと、該乾燥剤２３Ａに固定され、表示エリア２１ａより大きい１枚の薄い金属板として薄いステンレス鋼（ＳＵＳ）３０を用いている。本例では、乾燥剤２３Ａは、上記第１実施形態で用いた乾燥剤２３よりも小さいものを用いている。
【００２８】
また、ステンレス鋼３０は、発光素子基板２１との間に隙間を持つように配置される。具体的には、上記陰極との間に僅かな隙間ができるように配置される。こうして、ステンレス鋼３０は、発光素子基板２１に対してフリーになっている。その他の構成は、上記第１実施形態と同様である。
【００２９】
以上のように構成された第３実施形態によれば、上記第１実施形態の奏する作用効果に加えて以下の作用効果を奏する。
○乾燥剤２３Ａに固定された薄いステンレス鋼３０により、表示エリア２１ａ全体にわたり有機ＥＬパネル２０の温度分布の均一化を図れるので、有機ＥＬパネル２０の表示エリア２１ａ全体に温度ムラがよりできにくくなる。したがって、有機ＥＬパネル２０内に温度ムラができるのをさらに抑制でき、有機ＥＬパネル２０の寿命をさらに長くすることができる。
（第４実施形態）
第４実施形態に係る有機ＥＬパネル２０の構造を図７に基づいて説明する。
【００３０】
この有機ＥＬパネル２０は、上記第３実施形態におけるステンレス鋼３０に代えて、全体に多数の貫通孔３１ａが形成されたステンレス鋼３１を用いている。その他の構成は、第３実施形態と同様である。
【００３１】
以上のように構成された第４実施形態によれば、上記第３実施形態の奏する作用効果に
加えて以下の作用効果を奏する。
○乾燥剤２３Ａがステンレス鋼３１の多数の貫通孔３１ａを介して空間２５内の空気に触れる面積が大きくなるので、その空間２５内に浸入した水分が乾燥剤２３Ａにより効果的に吸収される。
【００３２】
（移動体の表示モジュール）
次に、上記各実施形態で説明した有機ＥＬパネル２０を複数（本例では３つ）用いた移動体の表示モジュール１を、図８〜図１０に基づいて説明する。
【００３３】
この移動体の表示モジュール１は、図８に示すように、３つの有機ＥＬパネル２，３，４と、一つのベースプレート５とを備える。異なる画像を表示する３つの有機ＥＬパネル２，３，４はそれぞれ上記有機ＥＬパネル２０に相当するもので、横長の一つのベースプレート５にその長手方向に並べて取り付けられている。ここでは、３つの有機ＥＬパネル２，３，４をそれぞれ備えた３つのパネルアッセンブリＤ，Ｅ，Ｆが一つのベースプレート５に並べて取り付けられている。
【００３４】
移動体の表示モジュール１は、図９に示すように車両４０のインストルメントパネル４１に搭載される。こうしてインストルメントパネル４１に取り付けられた移動体の表示モジュール１の表面に樹脂製のパネルカバー８０を取り付けた状態を、図１０で示してある。このパネルカバー８０には、真中の有機ＥＬパネル２の表示エリア１４で表示されるスピードメータ用の円形開口部８１と、右側の有機ＥＬパネル３の表示エリア１４で表示されるタコメータ用の円形開口部８２と、左側の有機ＥＬパネル４で表示される画像用の矩形開口部８３とが設けられている。これらの有機ＥＬパネル２〜４の各表示エリア１４は、上記有機ＥＬパネル２０の表示エリア２１ａに相当する。
【００３５】
また、この移動体の表示モジュール１は、一例として図１０に示すように、真中の有機ＥＬパネル２により、車速をアナログ表示するスピードメータの目盛り９１、数字９２および指針９３を表示する。また、右側の有機ＥＬパネル３によりエンジン回転数をアナログ表示するタコメータの目盛り９４、数字９５および指針９６を表示し、左側の有機ＥＬパネル４でカーナビゲーション装置の地図情報等の画像９７を表示する。また、有機ＥＬパネル４では、テレビの画像やＤＶＤ装置の画像も表示できる。
【００３６】
このような構成を有する移動体の表示モジュール１によれば、各有機ＥＬパネル２〜４の寿命を長くすることができるとともに、高品質な表示を長期間にわたって維持することができる。したがって、耐久性や安全性が重視される自動車等の車両に搭載される場合、車速、エンジン回転す、カーナビゲーション装置の地図情報等を３つの有機ＥＬパネル２〜４により長期間にわたり高品質で表示することができる。
【００３７】
（電子機器）
次に、上記各実施形態で説明した有機ＥＬパネル２０を用いた電子機器について説明する。この有機ＥＬパネル２０は、図１１に示すようなモバイル型のパーソナルコンピュータに適用できる。図１１に示すパーソナルコンピュータ７０は、キーボード７１を備えた本体部７２と、有機ＥＬパネル２０を用いた表示ユニット７３とを備えている。
【００３８】
このパーソナルコンピュータ７０によれば、表示ユニット７３の寿命を長くすることができるとともに、高品質な表示を長期間にわたって維持することができる。特に、表示ユニット７３のサイズが大きい物でも、発熱に伴う温度分布による輝度劣化むらなどが発生せず、寿命を長くすることができる。
【００３９】
なお、この発明は以下のように変更して具体化することもできる。
・上記各実施形態では、表示パネルとして有機ＥＬディスプレイに用いる有機ＥＬパネルを一例として説明したが、放電を用いた蛍光型のプラズマディスプレイに用いる表示パネル、電子放出素子を用いたディスプレイ（ＦＥＤ）やＳＥＤ（Surface−Conduction  Electron−Emitter  Display）に用いる表示パネルにも本発明は適用可能で、上記各実施
形態と同様の効果を得ることができる。
【００４０】
・上記第１実施形態では板状に形成された１枚の乾燥剤２３を、第２実施形態では４枚の乾燥剤２３Ａを用いているが、本発明はこのような構成に限定されない。温度分布均一手段として粉状の乾燥剤を用い、表示エリア２１ａより大きい範囲に敷き詰めて、封止基板２２の内面に固定した構成であってもよい。
【００４１】
・上記第２実施形態では、４枚の乾燥剤２６〜２９を用いているが、乾燥剤の数は「４」に限らず、有機ＥＬパネル２０のサイズに応じた「４」以外の数の乾燥剤を複数枚用いた構成にも本発明は適用される。
【００４２】
・上記第３実施形態では、乾燥剤２３Ａとして、上記第１実施形態で用いた乾燥剤２３よりも小さいものを用いているが、乾燥剤２３Ａは、乾燥剤２３と同様に表示エリア２１ａより大きいものを用いてもよい。
【００４３】
・上記第３実施形態では、１枚の薄い金属板としてステンレス鋼を用いているが、ステンレス鋼に代えて、空気よりも熱伝導率の大きい金属板を用いる構成にも本発明は適用される。
【００４４】
・上記第４実施形態では、全体に多数の貫通孔３１ａが形成された薄いステンレス鋼３１を用いているが、貫通孔３１ａの形状は円形に限らず、円形以外の形状の貫通孔を有する薄いステンレス鋼を用いた構成にも本発明は適用可能である。
【００４５】
・図８に示す移動体の表示モジュール１では、有機ＥＬパネルの数を「３」としているが、その数は一例であって、本発明は「３」以外の複数の有機ＥＬパネルを用いた移動体の表示モジュールに適用可能である。
【００４６】
・図８に示す移動体の表示モジュール１では、同じ大きさの３つの有機ＥＬパネルを用いているが、大きさの異なる複数の有機ＥＬパネルを用いた移動体の表示モジュールにも本発明は適用可能である。例えば、自動車等の車両に実装し、３つの有機ＥＬパネルのうち真中のパネルでスピードメータを表示する場合には、スピードメータの視認性を向上させるために、真中のパネルを大きくして上に位置させ、左右のパネルを小さくして真中のパネルよりも下げるのが好ましい。
【００４７】
・図１１では、有機ＥＬパネル２０を用いた電子機器の一例としてパーソナルコンピュータについて説明したが、上記各実施形態で説明した有機ＥＬパネル２０は、パーソナルコンピュータに限らず、携帯電話、デジタルカメラ等の各種の電子機器に適用できる。
【図面の簡単な説明】
【００４８】
【図１】第１実施形態に係る有機ＥＬパネルを示す分解斜視図。
【図２】同有機ＥＬパネルを示す断面図。
【図３】第２実施形態に係る有機ＥＬパネルを示す分解斜視図。
【図４】同有機ＥＬパネルを示す断面図。
【図５】第３実施形態に係る有機ＥＬパネルを示す分解斜視図。
【図６】同有機ＥＬパネルを示す断面図。
【図７】第４実施形態に係る有機ＥＬパネルを示す分解斜視図。
【図８】有機ＥＬパネルを用いた移動体の表示モジュールを示す斜視図。
【図９】同表示モジュールが搭載された車両の車室内部を示す斜視図。
【図１０】同表示モジュールの表示状態を示す平面図。
【図１１】電子機器としてのパーソナルコンピュータを示す斜視図。
【符号の説明】
【００４９】
１…移動体の表示モジュール、５…パネル支持部材としてのベースプレート、１４，２１ａ…表示エリア、２０…表示パネルとしての有機ＥＬパネル、２１…発光素子基板、２１ａ…表示エリア、２２…封止基板、２３，２３Ａ，２６〜２９…乾燥剤、２５…空間、３１ａ…貫通孔、７０…電子機器としてのパーソナルコンピュータ、２２０…画素、２２１…エレクトロルミネッセンス素子としての有機ＥＬ素子。
【図１】
2006228443.tif 000003
【図２】
2006228443.tif 000004
【図３】
2006228443.tif 000005
【図４】
2006228443.tif 000006
【図５】
2006228443.tif 000007
【図６】
2006228443.tif 000008
【図７】
2006228443.tif 000009
【図８】
2006228443.tif 000010
【図９】
2006228443.tif 000011
【図１０】
2006228443.tif 000012
【図１１】
2006228443.tif 000013